(57)【要約】【課題】送配電系統の機器の点検システム・点検装置、当該システムに使用されるプログラムを提供することを目的とする。【解決手段】サーバ２００と携帯端末１００とを備えた機器を点検する点検システム。サーバ２００は、機器に関連した損傷の程度を判定する１つ以上の判定情報を予め記憶したサーバサーバ記憶部２２０と、判定情報とデータを送受信するサーバ通信部と、を備える。携帯端末１００は、点検対象の機器の種類を入力する入力手段２０と、入力された機器の種類をサーバ２００に送信し、サーバ２００より機器の判定情報を受信する端末通信部５０と、受信された判定情報を表示する表示部１０と、受信した判定情報を記憶する端末記憶部４０と、判定情報にしたがって機器を点検した点検データを入力する入力手段２０と、点検データを端末記憶部４０に追加して記憶するデータ記憶手段と、を備える。【選択図】図１
2007188358.tif 000002
【特許請求の範囲】
【請求項１】
サーバと携帯端末とを備えた機器の点検システムであって、
前記サーバには、
前記機器に関連した損傷の程度を判定する１つ以上の判定情報を予め記憶したサーバ記憶部と、
前記判定情報とデータを送受信するサーバ通信部と、
を備え、
前記携帯端末には、
点検対象の機器の種類を入力する第１の入力手段と、
前記入力された機器の種類を前記サーバに送信し、前記サーバより前記機器の判定情報を受信する端末通信部と、
受信された前記判定情報を表示する表示部と、
受信した前記判定情報を記憶する端末記憶部と、
前記判定情報にしたがって前記機器を点検した点検データを入力する第２の入力手段と、
前記点検データを前記端末記憶部に追加して記憶するデータ記憶手段と、
を備えた点検システム。
【請求項２】
機器を点検する点検装置であって、
前記機器に関連した損傷の程度を判定する１つ以上の判定情報を予め記憶した記憶部と、
前記判定情報を表示する表示部と、
前記判定情報にしたがって前記機器を点検した点検データを入力する入力手段と、
前記点検データを前記記憶部に追加して記憶するデータ記憶手段と、
を備えた点検装置。
【請求項３】
コンピュータにサーバと携帯端末とを備えた機器の点検システムとしての機能を実現させるためのプログラムであって、
前記サーバには、
前記機器に関連した損傷の程度を判定する１つ以上の判定情報を予め記憶したサーバ記憶機能と、
前記判定情報とデータを送受信するサーバ通信機能と、
を実現させ、
前記携帯端末には、
点検対象の機器の種類を入力する第１の入力機能と、
前記入力された機器の種類を前記サーバに送信し、前記サーバより前記機器の判定情報を受信する端末通信機能と、
受信された前記判定情報を表示する表示機能と、
受信した前記判定情報を記憶する端末記憶機能と、
前記判定情報したがって前記機器を点検した点検データを入力する第２の入力機能と、
前記点検データを前記端末記憶機能に追加して記憶するデータ記憶機能と、
を実現させるためのプログラム。
【請求項４】
コンピュータに機器を点検する点検装置としての機能を実現させるためのプログラムであって、
前記機器に関連した損傷の程度を判定する１つ以上の判定情報を予め記憶した記憶機能と、
前記記憶機能に記憶されている判定情報を表示する表示機能と、
前記判定情報にしたがって前記機器を点検した点検データを入力する入力機能と、
及び、前記点検データを前記記憶機能に追加して記憶するデータ記憶機能と、
を実現させるためのプログラム。
【発明の詳細な説明】
【技術分野】
【０００１】
本発明は、送配電系統に使われる機器の点検システム・点検装置、当該システムに使用されるプログラムに関する。
【背景技術】
【０００２】
電力の安定供給は電力会社の大切な使命である。電力会社は安定供給のために送配電設備の点検を定期的に行っている。点検の中で、機器の損傷判定、特に発錆判定は、人による目視点検と経験により行っていた。
【０００３】
関連する技術として、発錆・汚損が問題となる電気機器について、簡単に点検が行えるような構造をもつ電気機器が紹介されている（特許文献１参照）。しかし、点検保守を効率よく適切に行うシステムは見当たらない。
【０００４】
【特許文献１】特開平１０−３５４３５３号公報
【発明の開示】
【発明が解決しようとする課題】
【０００５】
発錆判定に関する基準は具体的な数値で示されてなく、発錆判定は巡視担当者個々の判断に基づいて行われるため、判定にバラつきがあり、特に経験の少ない巡視担当者が適切な判定をすることが難しいという問題があった。
【０００６】
本発明は、このような問題点を解決する送配電系統の機器の点検システム・点検装置、当該システムに使用されるプログラムを提供することを目的とする。
【課題を解決するための手段】
【０００７】
上記の課題を解決するため、発明者は過去の各機器の発錆データと機器の寿命に基づく判定データや最近の機器による成果をデータシステムに取り込むことに着目して以下の発明をした。
【０００８】
（１）サーバと携帯端末とを備えた機器を点検する点検システムであって、前記サーバには、前記機器に関連した損傷の程度を判定する１つ以上の判定情報を予め記憶したサーバ記憶部と、前記判定情報とデータを送受信するサーバ通信部と、を備え、前記携帯端末には、前記点検対象の機器の種類を入力する第１の入力手段と、前記入力された機器の種類を前記サーバに送信し、前記サーバより前記機器の判定情報を受信する端末通信部と、受信された前記判定情報を表示する表示部と、受信した前記判定情報を記憶する端末記憶部と、前記判定情報にしたがって前記機器を点検した点検データを入力する第２の入力手段と、前記点検データを前記端末記憶部に追加して記憶するデータ記憶手段と、を備えた点検システム。
【０００９】
（１）の発明によれば、携帯端末の使用者すなわち巡視者は、入力手段に点検する機器の種類を入力すると、機器の種類がサーバに送信される。サーバは送信された機器の種類に対応した機器の判定情報を検索する。サーバは検索された判定情報を返信する。携帯端末はこの判定情報を受信し表示部に表示するとともに端末記憶部に記憶する。表示部に表示された判定情報にしたがって前記機器を点検した点検データを入力手段に入力する。入力された点検データを前記端末記憶部に追加してデータ記憶手段記憶する。記憶されたデータはサーバに送信しても良いし、使用者すなわち巡視者が事務所に帰還後パソコン等に入力しても良い。
【００１０】
したがって、次のような効果が得られる。機器を点検するに際して、サーバの記憶部にあらかじめ記憶されている判定に関する具体的な基準を参照することにより、巡視者個々の判断となっている場合に比較して、適切な判定を行うことができると共に判定のバラツキを抑えることができる。また、ガイダンスに各機器特有の点検すべき個所・順序等をあらかじめ入れておくことにより、重要な点検個所を見落すことなく作業を終わらせることができる。また、巡視者が新人であってもベテランと同様に重要な点を見落とすことなく作業することができる。
【００１１】
さらに、携帯端末はサーバと通信する端末通信部を有するので、点検する種類が多く、機器の判定情報が多量の場合も、必要な判定情報を携帯端末から送信して、サーバで検索し、その結果と必要な情報をサーバは返信し、端末が必要な情報のみを受信して、点検作業に対応できると言う利点がある。また、遠隔地とか広い範囲を巡視して点検しなければならない場合にベースになる事務所に巡視者が立ち寄らないでも、巡視者がその日の必要な点検に必要な判定情報を入手できる利点がある。
【００１２】
ここで、機器損傷の程度判定には錆の程度が重要であるが、その他、保護塗料のはげ具合、変圧器の碍子の汚染の度合いなどがある。
【００１３】
（２）機器を点検する点検装置であって、前記機器に関連した損傷の程度を判定する１つ以上の判定情報を予め記憶した記憶部と、前記判定情報を表示する表示部と、前記判定情報にしたがって前記機器を点検した点検データを入力する入力手段と、前記点検データを前記記憶部に追加して記憶するデータ記憶手段と、を備えた点検装置。
【００１４】
（２）の発明によれば、点検装置の使用者である巡視者が機器を点検するにあたって、記憶部に予め記憶した機器に関連した損傷の程度を判定する１つ以上の判定項目を表示部により表示する。表示された判定情報にしたがって機器を点検する。点検した点検データを入力手段により入力する。入力して点検データをデータ記憶手段に記憶する。なお、判定情報にはガイダンスも含まれる。
【００１５】
機器を点検するに際して、記憶部にあらかじめ記憶されている判定に関しての具体的な基準を参照することにより、巡視者個々の判断となっている場合に比較して、巡視者は適切な判定を行うことができると共に判定のバラツキを抑えることができる。また、判定情報に含まれるガイダンスに各機器特有の点検すべき個所・順序等を記憶部の判定情報にあらかじめ入れておくことにより、巡視者は重要な点検個所を見落すことなく点検作業を終わらせることができる。また、巡視者が新人であってもベテランと同様に重要な点を見落とすことなく作業することができる。
【００１６】
ここで、（１）の発明と同様に、機器の損傷の程度の判定には錆の程度が重要であるが、その他、保護塗料のはげ具合、変圧器の碍子の汚染の度合いなどがある。
【００１７】
（３）コンピュータにサーバと携帯端末とを備えた機器を点検する点検システムとしての機能を実現させるためのプログラムであって、前記サーバには、前記機器に関連した損傷の程度を判定する１つ以上の判定情報を予め記憶したサーバ記憶機能と、前記判定情報とデータを送受信するサーバ通信機能と、を実現させ、前記携帯端末には、点検対象の機器の種類を入力する第１の入力機能と、前記入力された機器の種類を前記サーバに送信し、前記サーバより前記機器の判定情報を受信する端末通信機能と、受信された前記判定情報を表示する表示機能と、受信した前記判定情報を記憶する端末記憶機能と、前記判定情報したがって前記機器を点検した点検データを入力する第２の入力機能と、前記点検データを前記端末記憶機能に追加して記憶するデータ記憶機能と、を実現させるためのプログラム。
【００１８】
（３）に記載の発明によるプログラムをコンピュータに読み込ませて機能させることにより、上記（１）に記載した発明と同様な作用効果を期待することができる。
【００１９】
（４）コンピュータに機器を点検する点検装置としての機能を実現させるためのプログラムであって、前記機器に関連した損傷の程度を判定する１つ以上の判定情報を予め記憶した記憶機能と、前記記憶機能に記憶されている判定情報を表示する表示機能と、前記判定情報にしたがって前記機器を点検した点検データを入力する入力機能と、及び、前記点検データを前記記憶機能に追加して記憶するデータ記憶機能と、を実現させるためのプログラム。
【００２０】
（４）に記載の発明によるプログラムをコンピュータに読み込ませて機能させることにより、上記（２）に記載した発明と同様な作用効果を期待することができる。
【００２１】
ここで、（３）と（４）の発明も（１）の発明と同様に、機器損傷の程度判定には錆の程度が重要であるが、その他、保護塗料のはげ具合、変圧器の碍子の汚染度合いなどがある。
【発明の効果】
【００２２】
本発明によれば、機器を点検するに際して、サーバ等の記憶部にあらかじめ記憶されている判定に関しての具体的な基準を参照することにより、巡視者個々の判断となっている場合に比較して、巡視者が適切な判定を行うことができると共に判定のバラツキを抑えることができる。また、ガイダンスを含む判定情報に各機器特有の点検すべき個所・順序等をあらかじめ入れておくことにより、重要な点検個所を見落すことなく点検作業を巡視者は終わらせることができる。また、巡視者が新人であってもベテランと同様に重要な点を見落とすことなく作業することができる。
【発明を実施するための最良の形態】
【００２３】
以下、本発明を実施するための最良の形態について図を参照しながら説明する。なお、これはあくまでも一例であって、本発明の技術的範囲はこれに限られるものではない。
【００２４】
［第１の実施例］
図１は本発明の点検システムの構成を示すブロック図である。図２は、本発明の点検システムの使用状態を示す図である。図３は本発明の点検システムの動作を示すフローチャートである。図４は、発錆・腐食に関する判定データの一例である。図５は、判定情報の一例である。図６は、本発明の点検システムにおいて表示手段により表示する一例である。
【００２５】
本発明は、図１のブロック図に示すように、１つ以上の携帯端末１００とサーバ２００及び１つ以上の携帯端末１００とサーバ２００とを相互に通信可能なように接続した通信回線３００により構成される。各々の携帯端末１００には、表示部１０とキーボードやマウス等の入力手段２０とがバス線９０に接続されている。入力手段２０は点検対象の機器の種類を入力する第１の入力手段としても、後述の点検したデータを入力する第２の入力手段としても専用のソフトウエアを組み合わせて用いることにより使用することができる。ＣＰＵ３０は、携帯端末１００の各種の制御を行う。端末通信部５０は、外部のシステムと通信するものであり、ＡＤＳＬ等による通信可能な送受信部で構成される。端末記憶部４０は、半導体メモリまたはハードデイスクとそれを制御するソフトウエアとで構成され、判定情報、点検データ等を記憶する。
【００２６】
サーバ２００は、サーバ用のコンピュータで実現することができ、携帯端末１００からの要求を受けてサーバ記憶部２２０に記憶されている判定情報を送信してきた携帯端末に返信し、また点検データを携帯端末１００より受信してサーバ記憶部２２０に記憶する。
【００２７】
サーバ２００は社内のローカルエリアネットワーク４００を介して、営業所内の端末５１０、端末５２０に接続されている。
【００２８】
図２は、このような点検システムを保守点検の巡視者が使用している状態の一例を示す。巡視者は携帯端末１００を持参して配電設備腕金の点検を行っている。巡視者が目視で腐食部の状態を確認して、後で述べる腐食程度を携帯端末に入力している。
【００２９】
このような点検システムの動作について、図３を参照して説明をする。最初に保守点検の巡視者が点検対象の機器の種類を携帯端末１００に入力する（Ｓ２１０）。入力された機種を携帯端末１００の通信部５０から通信回線３００を介してサーバ２００に送信する（Ｓ２２０）。機器の種類には図４に示すように、変圧器、バランサ、開閉器、腕金、支線などがあり、それぞれの判定情報は異なるからである。
【００３０】
サーバ２００が機器の種類を受信すると、サーバ２００はサーバ記憶部２２０に記憶されている判定情報を検索する（Ｓ３１０）。検索された判定情報は携帯端末１００に返信される（Ｓ３２０）。返信された判定情報は記憶部４０に記憶されると共に表示部１０に表示される（Ｓ２３０）。判定情報は点検対象となる機器ごとに異なる。これは、点検対象毎に注意して点検しなければならない部分が異なるからである。一例として変圧器の例を図５に示す。図５のように変圧器は発錆の有無から判定される。次に錆が黒色であるか赤錆であるかが判定される。赤錆であると錆が進行中であるので、変圧器の容器に穴が開いているか、変圧器油が滲み出てないかを点検する。穴が開いているとか油の滲みがある場合は重大な欠陥であるので至急修理等が必要である旨の点検データを入力する（Ｓ２４０）。入力されたデータはデータ記憶手段により端末記憶部４０に記憶される。また、錆があるが黒色化している場合は進行が遅いのでその旨を点検データとして入力する（Ｓ２４０）。
【００３１】
穴や油滲みがない場合は錆の現れやすい底部から錆の程度を図５のように調査して点検データとして端末１００に入力する（Ｓ２４０）。次に側部、ブッシング部分について判定して点検データとして端末１００に入力する（Ｓ２４０）。さらに変圧器が重塩害地区か鉄道市街地か軽塩害地区かを端末１００に入力する。これらは錆の進行に関連すると共に問題があった場合の重要度も異なるからである。
【００３２】
図６は、携帯端末１００に於ける表示部１０の一表示例を示す。図６に示すように図５の内容が表示され、さらに錆の程度の具体的なサンプル写真が表示される。また、点検の順がガイダンスで示される。したがって、経験が少ない巡視者でも判定情報を経験に基づいてあらかじめ判定情報に記憶することにより、ベテランの巡視員に近い点検をすることが可能になる。
【００３３】
入力された点検データは記憶部４０に記憶される（Ｓ２５０）。次に点検項目が終了したか否かが判定され（Ｓ２６０）、終了していなければ判定情報記憶・表示（Ｓ２３０）にもどり、終了していれば点検データを通信回線３００を介してサーバに送信する（Ｓ２７０）。サーバは点検データを受信すると共にサーバ記憶部２２０に記憶する（Ｓ３３０）。なお、携帯端末１００に点検データを記憶して営業所等に帰還後巡視者が入力することもできる。
【００３４】
［第２の実施例］
以上の例は、点検システムについて主に説明したが、コンピュータに、点検システムで説明した機能を有するプログラムをインストールして、そのコンピュータを点検システムとして動作させることにより（１）の点検システムと同様に実現することができる。
その結果、第１の実施例で説明したのと同様の効果が得られる。
【００３５】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。例えば、携帯端末は携帯電話機を用いても同様に実現することができる。
【図面の簡単な説明】
【００３６】
【図１】本発明の点検システムの構成を示すブロック図である。
【図２】本発明の点検システムの使用状態を示す図である。
【図３】本発明の点検システムの動作を示すフローチャートである。
【図４】発錆・腐食に関する判定データの一例である。
【図５】判定情報の一例である。
【図６】本発明の点検システムにおいて表示手段により表示する一例である。
【符号の説明】
【００３７】
１０          表示部
２０          入力手段
３０          ＣＰＵ
４０          端末記憶部
５０          端末通信部
９０          データバス
１００        携帯端末
２００        サーバ
２２０        サーバ記憶部
３００        通信回線
【図１】
2007188358.tif 000003
【図２】
2007188358.tif 000004
【図３】
2007188358.tif 000005
【図４】
2007188358.tif 000006
【図５】
2007188358.tif 000007
【図６】
2007188358.tif 000008